(57)【特許請求の範囲】
【請求項１】
左右に並ぶ複数の加工部を有する工作機械であって、それぞれ上記左右の加工部が搭載され、互いに左右に分離して据え付けられる左右のベッドと、これらベッドと独立して、両ベッドの並びの左右両側に離れて設置された支柱、および両支柱の上端間を連結する水平フレーム材からなる門型フレームと、この門型フレームに設置される機械制御盤とを備え、前記機械制御盤は前記左右のベッドに跨がる範囲で一つ設置されたものである工作機械。
【請求項２】
上記両加工部を覆う機体カバーを設け、この機体カバーは、上記左右の加工部をそれぞれ覆う独立した別個の部分カバーにより構成される請求項１記載の工作機械。
【請求項３】
左右に並ぶ複数の加工部を有する工作機械であって、それぞれ上記左右の加工部が搭載され、互いに左右に分離して据え付けられる左右のベッドと、これらベッドと独立して、両ベッドの並びの左右両側に離れて設置された支柱、および両支柱の上端間を連結する水平フレーム材からなる門型フレームと、上記左右のベッドにそれぞれ設置されて運搬時に上記門型フレームが上端に結合され、機械据え付け後は上記門型フレームから結合が解消される運搬用フレーム支持治具とを備え、前記運搬用フレーム支持治具は、前記門型フレームの支柱と平行に配置された柱状の部材よりなり、この運搬用フレーム支持治具は、上記機械据え付け後は上記門型フレームの上記水平フレーム材の下と運搬用フレーム支持治具の上端との間に隙間が生じるように、上記門型フレームから結合が解消されるものである工作機械。
【発明の詳細な説明】
【０００１】
【発明の属する技術分野】
この発明は、左右に並ぶ複数の加工部を有する工作機械に関する。
【０００２】
【従来の技術と発明が解決しようとする課題】
この種の工作機械の一例として、床面上で左右に分離して据え付けられる各ベッド上に、加工部である主軸を各々設置した２軸旋盤が知られている（特許２６０６５１１号）。このようにベッドを分離して据え付けた工作機械では、一方の加工部で発生する加工振動が他方の加工部に伝わらないので、加工精度が向上する。
【０００３】
【発明が解決しようとする課題】
しかし、従来、このような構成とした工作機械に、ローダを付加する場合、ローダが走行するレールは、左右に分割されたベッド上に設置される左右の支柱に跨がらせて支持されている（特開平１１−５８１７２号公報）。その結果、一方の加工部での振動が、レールを介して他方の加工部に伝わってしまうという問題点を有する。
また、制御盤を付加する場合も、左右のベッドに跨がるように設置されることが多く、この場合には制御盤が振動伝達媒体となってしまう。
【０００４】
この発明の目的は、制御盤が振動伝達媒体となって複数の各加工部相互間で加工振動が伝達されることを防止できる工作機械を提供することである。
この発明の他の目的は、さらに機体カバーが振動伝達媒体となって複数の各加工部相互間で加工振動が伝達されることを防止することである。
この発明のさらに他の目的は、分離により加工部間の振動伝達を防止しながら、運搬が容易に行えるようにすることである。
【０００５】
【課題を解決するための手段】
この発明の工作機械は、左右に並ぶ複数の加工部を有する工作機械であって、それぞれ上記左右の加工部が搭載され、互いに左右に分離して据え付けられる左右のベッドと、これらベッドと独立して、両ベッドの並びの左右両側に離れて設置された支柱、および両支柱の上端間を連結する水平フレーム材からなる門型フレームと、この門型フレームに設置される機械制御盤とを備えている。前記機械制御盤は前記左右のベッドに跨がる範囲で一つ設置されたものである。
この構成によると、左右のベッドと独立して設置される両支柱と、この両支柱の上端間を連結する水平フレーム材とからなる門型フレームに機械制御盤が設置されるので、床面を別として、機械制御盤がいずれの加工部とも切り離されたものとなる。そのため、機械制御盤が振動伝達媒体となって一方の加工部の振動が他方の加工部に伝達されることが防止される。ローダが付加される場合でも、ローダのレールを前記門型フレームで支持できるので、ローダのレールが振動伝達部材となるのを防止できる。このように振動伝達が防止されるため、加工精度、加工品質の向上が得られ、また精密加工時等に、振動伝達の防止のために、片方の加工部の停止させる必要が少なくなり、加工効率が向上する。
【０００６】
この発明において、両加工部を覆う機体カバーを設け、この機体カバーは、上記左右の加工部をそれぞれ覆う独立した別個の部分カバーにより構成されるものとしても良い。この構成の場合、機体カバーが加工部毎に別個の部分カバーで構成されるため、一方の加工部の振動が機体カバーを振動伝達媒体として他方の加工部に伝わることも防止される。
【０００７】
この発明における他の観点の工作機械は、左右に並ぶ複数の加工部を有する工作機械であって、それぞれ上記左右の加工部が搭載され、互いに左右に分離して据え付けられる左右のベッドと、これらベッドと独立して、両ベッドの並びの左右両側に離れて設置された支柱、および両支柱の上端間を連結する水平フレーム材からなる門型フレームと、上記左右のベッドにそれぞれ設置されて運搬時に上記門型フレームが上端に結合され、機械据え付け後は上記門型フレームから結合が解消される運搬用フレーム支持治具とを備えている。前記運搬用フレーム支持治具は、前記門型フレームの支柱と平行に配置された柱状の部材よりなる。また、この運搬用フレーム支持治具は、上記機械据え付け後は上記門型フレームの上記水平フレーム材の下と運搬用フレーム支持治具の上端との間に隙間が生じるように、上記門型フレームから結合が解消されるものとする。
この構成によると、機械据え付け後には門型フレームは左右のベッドから切り離されるので、一方の加工部の振動が門型フレームを介して他方の加工部に伝わることが防止できる。このように分離構造を採りながら、運搬時に門型フレームが運搬用フレーム支持治具を介して左右のベッドに連結されるようにしたので、ベッドと門型フレームが一体となって運搬でき、そのため運搬を容易に行うことができる。
【０００８】
【発明の実施の形態】
この発明の一実施形態を図１ないし図１３と共に説明する。図１および図２はそれぞれ、この実施形態の工作機械の正面図および平面図を示す。この工作機械は、図３に示すように、左右に並ぶ２つの加工部１，１を有し、床面上に互いに分離して据え付けられる左右のベッド２，２の上に左右の加工部１がそれぞれ搭載されている。両ベッド２と独立して、図５および図６に正面図および平面図で示すように、両ベッド２の並びの左右両側に離れて支柱３，３が設置され、これら両支柱３の上端間を水平フレーム材５で連結して門型フレーム６が構成されている。この門型フレーム６の後部には、図２に示すように機械制御盤７が設置されている。門型フレーム６の左右の各支柱３は、図９に左側面図で示すように、前後２本の柱材３Ａ，３Ｂからなり、その両柱材３Ａ，３Ｂの上端間に梁材４が連結されている。
【０００９】
この工作機械はタレット式の平行２軸旋盤としたものであり、各加工部１は、図３に示すように、主軸８と、これに対応するタレット９とを有する。タレット９は各周面部分を工具用のステーションとした正面形状多角形のドラム状工具支持体であって、前後（Ｚ軸方向）および左右（Ｘ軸方向）移動可能でかつ割り出し回転可能に設けられている。両加工部１の上方には、前記門型フレーム６の水平フレーム材５に設けられたレール１０に沿って、左右方向に走行するローダ１１（図１，図２）が設置されている。ローダ１１はガントリ式のものであり、レール１０上を走行する走行体１２に前後移動台１３を設け、前後移動台１３に昇降ロッド１４を上下（Ｙ軸方向）に昇降駆動自在に設け、昇降ロッド１４の下端にワークを把持するローダヘッド１５を設けて構成されている。ローダ１１の移動範囲は、ローダカバー３０によって覆われている。
【００１０】
工作機械の一側には、ワークを載せたパレット１６をロータリテーブル１７上の所定の周回経路で周回させるロータリ式のワークフィーダ１８が設置されている。ローダ１１は、ワークフィーダ１８のパレット１６上から加工部１の主軸８へのワークの供給と、主軸８から搬出位置（図示せず）へのワークの搬出とを行う。
【００１１】
図１に示すように、両加工部１の設置部は、上下の機体カバー１９，２０で覆われている。上部機体カバー１９は、左右の加工部１，１をそれぞれ覆う独立した個別の部分カバー１９Ａ，１９Ｂにより構成されている。各部分カバー１９Ａ，１９Ｂは、上下固定部２１，２２と、スライド扉２３とからなり、図４のように両加工部１の配置空間である加工室２４がスライド扉２３によって開閉可能とされている。上部機体カバー１９の下固定部２２は、図１１に平面図で示すように、支持部材２５，２６を介して左右の各ベッド２にそれぞれ支持されている。上固定部２１は、前記加工室２４の両隣の駆動室を覆うカバー部であって、それぞれ左右の各ベッド２に支持されている。下部機体カバー２０は、左右の両ベッド２の設置部を覆う一体のカバー部材であって、床面に設置される。
【００１２】
図５に示すように、左右のベッド２，２には、それぞれ運搬用フレーム支持治具２７，２７が設置されている。運搬用フレーム支持治具２７，２７は、柱状の部材からなる。このフレーム支持治具２７の上端には、図１０（Ａ）のように工作機械の運搬時に前記門型フレーム６の水平フレーム材５がボルト等の締結具で結合される。これにより運搬時には、フレーム支持治具２７を介して門型フレーム６が左右のベッド２，２に支持される。工作機械の据え付け後には、フレーム支持治具２７の上端は、図１０（Ｂ）のように門型フレーム６の水平フレーム材５から結合が解消される。同図では、水平フレーム材５の下に隙間ｄが生じるようにしている。これにより、門型フレーム６は左右のベッド２，２から完全に切り離される。工作機械の据え付けにおいて、門型フレーム６の支柱３の下端と床面との間には高さ調整のためのシムが介挿されるので、そのシムの厚み分だけ、図１０（Ｂ）のように水平フレーム材５は切り離されたフレーム支持治具２７の上端から若干浮き上がる。
フレーム支持治具２７は、門型フレーム６の支柱３と同様に、前後の柱材２７Ａ，２７Ｂと、両柱材２７Ａ，２７Ｂの上端間を連結する梁材２８等で構成される。図７に背面図で示すように、支柱３の梁材４と、フレーム支持治具２７の梁材２８とは、工作機械の運搬時には、梁材４に固定されたブラケット３１と、梁材２８に固定されたブラケット３２とをボルト等の締結具で連結することにより一体化されていて、据え付け後に、両ブラケット３１，３２の連結が解消される。この連結解消と、上述したフレーム支持治具２７の柱材２７Ａ，２７Ｂの上端の水平フレーム材５との連結解消とにより、上述した門型フレーム６からのフレーム支持治具２７の切り離しが可能となる。
【００１３】
図１３に示すように、加工室２４の中間位置には、左右の加工部１，１を仕切る仕切カバー２９Ａ，２９Ｂがその後縁を回転中心として回動自在に設置されている。これにより、左側の加工部１の動作空間と右側の加工部１の動作空間とが仕切カバー２９Ａ，２９Ｂで仕切られて独立した状態で稼動される。また、一方の加工部１で主軸８のチャックを交換する作業を行う場合、仕切カバー２９Ａ，２９Ｂを他方の加工部１寄りに回動させることにより、作業者が主軸チャックの交換作業を行う十分な空間を確保できる。なお、この例では２枚の仕切カバー２９Ａ，２９Ｂを重ねて設けているが、仕切カバーを一枚だけとしても良い。
【００１４】
上述したように、この工作機械では、互いに左右に分離して据え付けられる左右のベッド２，２と独立して、両ベッド２の並びの左右両側に離れて支柱３，３が設置され、これら両支柱３の上端間を水平フレーム材５で連結して門型フレーム６が構成され、この門型フレーム６に機械制御盤７が設置されているので、機械制御盤７が振動伝達媒体となって一方の加工部１の振動が他方の加工部１に伝達されることが防止できる。また、ローダ１１のレール１０も門型フレーム６の水平フレーム材５に設置されているので、ローダ１１のレール１０が振動伝達媒体となることも防止される。
また、両加工部１，１を覆う機体カバー１９，２０のうち、上部機体カバー１９は、左右の加工部１，１をそれぞれ覆う独立した別個の部分カバー１９Ａ，１９Ｂにより構成されており、下部機体カバー２０は床面に直接設置されているので、一方の加工部１の振動が機体カバー１９，２０を介して他方の加工部１に伝わることも防止される。
【００１５】
また、この工作機械では、門型フレーム６とは別に、左右のベッド２，２にそれぞれ運搬用フレーム支持治具２７，２７が設置され、運搬時にこれらのフレーム支持治具２７に門型フレーム６が結合され、機械据え付け後に門型フレーム６から結合が解消されるようにしているので、運搬時に門型フレーム６は運搬用フレーム支持治具２７，２７を介して左右のベッド２，２に連結された状態にあり、ベッド２と門型フレーム６が一体となって運搬を容易に行うことができる。また、機械据え付け後には門型フレーム６は左右のベッド２，２から切り離されるので、一方の加工部１の振動が門型フレーム６を介して他方の加工部１に伝わるのを完全に防止できる。
【００１６】
【発明の効果】
この発明の工作機械は、左右に並ぶ複数の加工部を有する工作機械であって、それぞれ上記左右の加工部が搭載され、互いに左右に分離して据え付けられる左右のベッドと、これらベッドと独立して、両ベッドの並びの左右両側に離れて設置された支柱、および両支柱の上端間を連結する水平フレーム材からなる門型フレームと、この門型フレームに設置される機械制御盤とを設けたため、機械制御盤が振動伝達媒体となって一方の加工部の振動が他方の加工部に伝達されることが防止できる。ローダが付加される場合でも、ローダのレールを前記門型フレームで支持できるので、ローダのレールが振動伝達部材となることを防止できる。これらのため、加工精度、加工品質、加工効率の向上が得られる。
両加工部を覆う機体カバーを設け、この機体カバーは、上記左右の加工部をそれぞれ覆う独立した別個の部分カバーにより構成されるものとした場合は、一方の加工部の振動が機体カバーを介して他方の加工部に伝わるのを防止でき、より一層確実に振動伝達が防止される。
この発明における他の観点の工作機械は、左右に並ぶ複数の加工部を有する工作機械であって、それぞれ上記左右の加工部が搭載され、互いに左右に分離して据え付けられる左右のベッドと、これらベッドと独立して、両ベッドの並びの左右両側に離れて設置された支柱、および両支柱の上端間を連結する水平フレーム材からなる門型フレームと、上記左右のベッドにそれぞれ設置されて運搬時に上記門型フレームが結合され、機械据え付け後は上記門型フレームから結合が解消される運搬用フレーム支持治具とを設けたため、運搬時に門型フレームは運搬用フレーム支持治具を介して左右のベッドに連結され、ベッドと門型フレームが一体となって運搬を容易に行うことができる。また、機械据え付け後には門型フレームは左右のベッドから切り離されるので、一方の加工部の振動が門型フレームを介して他方の加工部に伝わることが防止できる。
【図面の簡単な説明】
【図１】この発明の一実施形態に係る工作機械の正面図である。
【図２】同工作機械の平面図である。
【図３】同工作機械の加工部を示す斜視図である。
【図４】同工作機械の主要部を示す外観斜視図である。
【図５】同工作機械における門型フレームの構成を示す正面図である。
【図６】同門型フレームの平面図である。
【図７】同門型フレームの支柱梁材および運搬用フレーム支持治具の梁材を示す背面図である。
【図８】ローダカバーの右側面図である。
【図９】前記門型フレームの左側面図である。
【図１０】（Ａ）は図５におけるＡ部の拡大図、（Ｂ）は同部分における門型フレーム結合解除状態を示す拡大図である。
【図１１】上部機体カバーにおける下固定部の取付け構造を示す平面図である。
【図１２】上部機体カバーの断面図である。
【図１３】仕切カバーの平面図である。
【符号の説明】
１…加工部
２…ベッド
３…支柱
５…水平フレーム材
６…門型フレーム
７…機械制御盤
１０…ローダのレール
１１…ローダ
１９…上部機体カバー
１９Ａ，１９Ｂ…部分カバー
２７…運搬用フレーム支持治具
【図１】
0003719167.tif 000002
【図２】
0003719167.tif 000003
【図３】
0003719167.tif 000004
【図４】
0003719167.tif 000005
【図５】
0003719167.tif 000006
【図６】
0003719167.tif 000007
【図７】
0003719167.tif 000008
【図８】
0003719167.tif 000009
【図９】
0003719167.tif 000010
【図１０】
0003719167.tif 000011
【図１１】
0003719167.tif 000012
【図１２】
0003719167.tif 000013
【図１３】
0003719167.tif 000014